(57)【要約】【課題】  コンテンツと広告を関連させながら常に最新の広告を再生させることで広告の効果を向上およびコンテンツの流通を高める。【解決手段】  暗号化されたコンテンツ２０を提供するコンテンツ提供手段２と、広告情報を提供する広告提供手段３と、暗号化コンテンツを復号するための復号化鍵情報を提供する権利付与手段４と、コンテンツに関する情報、記事の書込みや閲覧機能を提供する記事記録提供手段６と、コンテンツ対応にトラックバック情報を管理する機能を提供するトラックバック情報管理手段５と、暗号化コンテンツを再生するクライアント端末１とから構成され、端末１はコンテンツを再生する前に広告提供手段３から提供される広告情報をストリーミング再生し、広告情報の再生が完了したことを条件としてコンテンツの再生を実行し、コンテンツ再生が完了した後、前記コンテンツ対応のトラックバック情報を表示する。【選択図】        図３
2008187419.tif 000002
【特許請求の範囲】
【請求項１】
暗号化されたコンテンツを含む配信情報を提供するコンテンツ提供手段と、
広告情報を提供する広告提供手段と、
暗号化されたコンテンツを復号するための鍵情報を提供する権利付与手段と、
コンテンツに関する情報、記事の書込みや閲覧機能を提供する記事記録提供手段と、
前記コンテンツ対応にトラックバック情報を管理する機能を提供するトラックバック情報管理手段と、
コンテンツ再生ドライバを用いてコンテンツを再生する端末と
から構成され、
前記端末はコンテンツを再生する前に前記広告提供手段から提供される広告情報をストリーミング再生し、広告情報の再生が完了したことを条件としてコンテンツの再生を実行し、コンテンツ再生が完了した後、前記コンテンツ対応のトラックバック情報を表示することを特徴とするコンテンツ流通システム。
【請求項２】
前記配信情報は、広告情報取得用宛先情報を含み、
前記端末は、この広告情報取得用宛先情報が指定する前記広告提供手段にアクセスして取得した広告情報をストリーミング再生することを特徴とする請求項１に記載のコンテンツ流通システム。
【請求項３】
前記配信情報は、暗号を復号するための鍵情報取得用宛先情報を含み、
前記端末は、この鍵情報取得用宛先情報が指定する前記権利付与手段にアクセスして取得した復号化鍵を用いて復号することを特徴とする請求項１に記載のコンテンツ流通システム。
【請求項４】
前記配信情報は、トラックバック情報取得用宛先情報と、前記トラックバック情報管理手段に管理されている前記コンテンツ対応のトラックバック情報を一意に識別できる情報を含み、
前記端末は、再生終了後、前記配信情報に含まれるトラックバック情報取得用宛先情報に基づき、前記トラックバック情報管理手段にアクセスし、前記トラックバック情報管理手段に管理されている前記コンテンツ対応のトラックバック情報を一意に識別できる情報に基づき前記コンテンツ対応トラックバック情報を表示し、
前記トラックバック情報は、トラックバックリストとトラックバックURLを含み、
前記トラックバック情報管理手段は、利用者が前記端末に表示された前記トラックバック情報の中のトラックバックURLを入力して前記記事記録提供手段に記事を書き込むと前記記事記録提供手段からの要求により、管理している前記コンテンツ対応のトラックバック情報を追加更新することを特徴とする請求項１に記載のコンテンツ流通システム。
【請求項５】
前記配信情報には、前記コンテンツ再生用ドライバを前記端末にインストールする手段を含むことを特徴とする請求項１に記載のコンテンツ流通システム。
【請求項６】
暗号化されたコンテンツを含む配信情報を提供するコンテンツ提供手段と、広告情報を提供する広告提供手段と、暗号化されたコンテンツを復号するための鍵情報を提供する権利付与手段と、コンテンツ再生用ドライバを用いてコンテンツを再生する端末から構成されるコンテンツ再生システムにおけるコンテンツ再生方法であって、
前記端末は前記コンテンツ提供手段から前記配信情報をダウンロードして、この配信情報の再生を起動し、
前記配信情報は、前記端末内にコンテンツ再生用ドライバの有無を検出し、コンテンツ再生用ドライバが存在しない場合にはコンテンツ再生用ドライバを前記端末にインストールし、
コンテンツ再生用ドライバは、前記配信情報に含まれる鍵情報取得用宛先情報を参照して前記権利付与手段から復号化鍵を取得するとともに、広告情報取得用宛先情報を参照して前記広告提供手段から取得した広告情報をストリーミング再生し、
広告情報のストリーミング再生が完了した場合には前記配信情報に含まれる暗号化されたコンテンツを前記復号化鍵で復号しながら再生し、ストリーミング再生が完了せずに終了した場合には前記暗号化されたコンテンツの再生を中止することを特徴とするコンテンツ再生方法。
【発明の詳細な説明】
【技術分野】
【０００１】
本発明は、コンテンツサーバ等のコンテンツ提供手段からダウンロードした暗号化コンテンツやCD等の記録媒体に記録されている暗号化コンテンツを再生する前に広告情報をストリーミング再生し、広告情報の再生が完了したことを条件として暗号化コンテンツを再生するコンテンツ再生システムにおいて、コンテンツに関するトラックバックの情報を一元管理することにより、コンテンツ管理者がコンテンツの流通に関する状況を把握することを可能とし、利用者にとってはコンテンツに関する評価記事などの付加情報へのアクセスを容易にし、コンテンツの流通を促進させるコンテンツ流通システムとコンテンツ再生方法に関する。本明細書中で用いるトラックバックとは、ブログが有する機能の１つで、他のブログに掲載されている記事を参考に自身のブログの記事を書いてリンクを設定した場合に、リンク先のブログに対し自身のブログのＵＲＬや内容の要約が送信される仕組みのことをいう。
【背景技術】
【０００２】
コンテンツの流通およびその状況を把握する方法には、コンテンツに関する評価記事をブログに書き込み、ブログ間の連携をとるトラックバックにより、評価記事を関連付け、コンテンツの流通を促進するとともに、トラックバックにより関連を管理することにより、コンテンツの流通の状況を把握する方法がある。
【０００３】
またコンテンツと広告の再生を行う第１の従来技術には、広告の再生を条件としてコンテンツをダウンロードする方法がある（特許文献１）。これは、情報端末がコンテンツのダウンロードを要求する場合には、予め広告表示を行い、広告表示が所定の条件を満たす場合にコンテンツをダウンロードするものである。
【０００４】
コンテンツと広告の再生を行う第２の従来技術には、コンテンツに含まれる広告を再生してからコンテンツを再生するものがある（特許文献２）。これは、広告情報とその属性が含まれたコンテンツを受信・記録し、そのコンテンツ再生時に上記属性情報に基づいて広告の差し替え要否を判断し、要の場合には新たな広告を取得してコンテンツに含まれる広告を差し替えてからコンテンツを再生することで、いつも新鮮な広告を視聴させることで広告効果を向上させるものである。
【特許文献１】特開２００１−３１２６５２号公報
【特許文献２】特開２００５−１５６９９６号公報
【発明の開示】
【発明が解決しようとする課題】
【０００５】
コンテンツに関する評価記事をブログに書き込み、ブログ間の連携をとるトラックバックにより、評価記事を関連付け、コンテンツの流通を促進するとともに、トラックバックにより関連を管理することにより、コンテンツの流通の状況を把握する方法では、複数のブログにコンテンツに関する評価記事が存在する形態となり、コンテンツ管理者にとってコンテンツごとの評価記事の把握が困難でまた利用者にとっても評価記事をたどるのが面倒であるという欠点があった。
【０００６】
また、トラックバックを受け付けるサイトでなければブログ間の連携をとることができず、コンテンツ管理者にとってコンテンツの流通を管理するのが困難という欠点があった。
【０００７】
コンテンツと広告の再生を行う第１の従来技術は、広告情報の再生が完了した後にコンテンツのダウンロードを行うから、コンテンツの内容と広告内容を関連させることができず、コンテンツの流通価値を高めるような広告を行うことはできないという欠点があった。つまり売り難いコンテンツを広告とセットにすることで売り上げを伸ばしたり、広告を行うことでコンテンツの流通を促進させることができないという欠点があった。
【０００８】
第２の従来技術では、広告情報がコンテンツと一緒に記録されているから、第１の従来技術とは逆にコンテンツと広告の関連性が強すぎるので、広告はコンテンツの付属にすぎず、やはり広告の価値を高めることができないので、第１の従来技術と同様に広告によってコンテンツの流通を促進できないという欠点があった。また、このようなコンテンツ埋め込み型広告では、広告情報自体の権利を守ることができないという欠点があった。
【０００９】
さらに、いずれの従来技術でも、著作権を保護するためにコンテンツを他人に簡単に流通できず、コンテンツの自然流通が妨げられるという欠点もあった。
【００１０】
また、従来のブログやWeb掲示板に評価記事を書いたとしても、膨大な閲覧数が期待できないコンテンツには広告主が付きにくく広告収入によるコンテンツビジネスが難しいという欠点があった。
【００１１】
本発明は、ブログおよびトラックバック情報を一元管理するトラックバック情報管理手段を使ってトラックバック情報をコンテンツ対応に一元管理することにより、コンテンツ管理者によるコンテンツの流通状況の把握をしやすくすることを目的とする。
【００１２】
本発明は、コンテンツと広告を関連させながら常に最新の広告を再生させることで広告の効果を向上させ、それによってコンテンツの流通を促進させることが可能な新規なコンテンツ再生システムを提供することを目的とする。
【００１３】
また、個人間の自然流通を活用することが可能なコンテンツ再生システムを提供することを目的とする。
【００１４】
また、本発明は、広告管理サーバが数多くあるコンテンツの閲覧をまとめて動的に管理することにより、1コンテンツあたりの閲覧数は少なくてもコンテンツを数多く用意することで全体の閲覧数を向上させることができ、広告収入によるコンテンツビジネスが実現しやすくなるコンテンツ流通システムを提供することを目的とする。
【課題を解決するための手段】
【００１５】
本発明の請求項１に記載されたコンテンツ流通システムの発明では、暗号化されたコンテンツを含む配信情報を提供するコンテンツ提供手段と、広告情報を提供する広告提供手段と、暗号化されたコンテンツを復号するための鍵情報を提供する権利付与手段と、コンテンツに関する情報、記事の書込みや閲覧機能を提供する記事記録提供手段と、前記コンテンツ対応にトラックバック情報を管理する機能を提供するトラックバック情報管理手段と、コンテンツ再生ドライバを用いてコンテンツを再生する端末とから構成され、前記端末はコンテンツを再生する前に前記広告提供手段から提供される広告情報をストリーミング再生し、広告情報の再生が完了したことを条件としてコンテンツの再生を実行し、コンテンツ再生が完了した後、前記コンテンツ対応のトラックバック情報を表示することを特徴とする。
【００１６】
本発明の請求項２に記載されたコンテンツ流通システムの発明では、前記配信情報は広告情報取得用宛先情報を含み、前記端末は、この広告情報取得用宛先情報が指定する前記広告提供手段にアクセスして取得した広告情報をストリーミング再生することを特徴とする。
【００１７】
本発明の請求項３に記載された発明では、配信情報には暗号化を復号するための鍵情報取得用宛先情報を含み、端末は、この鍵情報取得用宛先情報が指定する権利付与手段にアクセスして取得した復号化鍵を用いて暗号復号することを特徴とする。
【００１８】
本発明の請求項４に記載された発明では、前記配信情報はトラックバック情報取得用宛先情報と、前記トラックバック情報管理手段に管理されている前記コンテンツ対応のトラックバック情報を一意に識別できる情報を含み、前記端末は、コンテンツの再生終了後、前記配信情報に含まれるトラックバック情報取得用宛先情報に基づき、前記トラックバック情報管理手段にアクセスし、前記トラックバック情報管理手段に管理されている前記コンテンツ対応のトラックバック情報を一意に識別できる情報に基づき前記コンテンツ対応トラックバック情報を表示し、前記トラックバック情報はトラックバックリストとトラックバックURLを含み、前記トラックバック情報管理手段は、利用者が前記端末に表示された前記トラックバック情報の中のトラックバックURLを入力して前記記事記録提供手段に記事を書き込むと前記記事記録提供手段からの要求により、管理している前記コンテンツ対応のトラックバック情報を追加更新することを特徴とする。
【００１９】
本発明の請求項５に記載された発明では、例えばコンテンツ提供手段にはコンテンツ再生用ドライバソフトを含み、配信情報には端末にコンテンツ再生用ドライバソフトをインストールする機能を含むことを特徴とする。
【００２０】
本発明の請求項６に記載された発明では、暗号化されたコンテンツを含む配信情報を提供するコンテンツ提供手段と、広告情報を提供する広告提供手段と、暗号化されたコンテンツを復号するための鍵情報を提供する権利付与手段と、コンテンツ再生用ドライバを用いてコンテンツを再生する端末から構成されるコンテンツ再生システムにおけるコンテンツ再生方法であって、前記端末は前記コンテンツ提供手段から前記配信情報をダウンロードして、この配信情報の再生を起動し、前記配信情報は前記端末内にコンテンツ再生用ドライバの有無を検出し、コンテンツ再生用ドライバが存在しない場合にはコンテンツ再生用ドライバを前記端末にインストールし、コンテンツ再生用ドライバは、前記配信情報に含まれる鍵情報取得用宛先情報を参照して前記権利付与手段から復号化鍵を取得するとともに、広告情報取得用宛先情報を参照して前記広告提供手段から取得した広告情報をストリーミング再生し、広告情報のストリーミング再生が完了した場合には前記配信情報に含まれる暗号化されたコンテンツを前記復号化鍵で復号しながら再生し、ストリーミング再生が完了せずに終了した場合には前記暗号化されたコンテンツの再生を中止することを特徴とする。
【発明の効果】
【００２１】
本発明の請求項１のコンテンツ流通システムの発明によれば、コンテンツを再生する前にコンテンツサーバとは異なる広告サーバから広告をストリーミング再生することにより、常時最新の広告を再生させることができ、広告効果をより高めることができる。また、広告の再生はダウンロードでなくストリーミングにより行い、広告の再生が完了しない限りコンテンツの再生を開始しないので、コンテンツの再生回数と広告の再生回数を同一にでき、コンテンツの著作権と広告料の対応付けが可能になり、広告料金の一部を確実に著作権者に支払うことが可能になる。またトラックバック情報が表示されるので、コンテンツの評価の状況把握、評価記事へのアクセスが容易となり、利用者の関心をひきつける効果を高めることができるとともに利用者の利便性を向上させることができる。
【００２２】
本発明の請求項２のコンテンツ流通システムの発明によれば、配信情報は広告情報取得用宛先情報を含み、端末はこの広告情報取得用宛先情報に基づき、前記広告提供手段にアクセスするので、コンテンツと広告情報を関連付けることができ、例えば売上の大きいコンテンツには高い広告料金を設定することが可能になるので、コンテンツビジネスを実行し易い効果がある。また逆に、売上の少ないコンテンツでも広告料金の徴収を組み合わせることで低料金か無料でコンテンツを配布することができ、コンテンツの流通を促進することができる。
【００２３】
本発明の請求項３のコンテンツ流通システムの発明によれば、配信情報には暗号化を復号するための鍵情報取得用宛先情報を含み、端末は、この鍵情報取得用宛先情報が指定する権利付与手段にアクセスして取得した復号化鍵を用いて暗号を復号するので、権利付与手段で復号化鍵を随時更新することが可能となり、端末ではいわゆるワンタイムパスワードを使用するのと同じ効果があるため、セキュリティ効果を向上させることができるという効果がある。
【００２４】
本発明の請求項４のコンテンツ流通システムの発明によれば、トラックバック情報はトラックバックリストとトラックバックURLを含み、トラックバックリストに基づき利用者は容易にコンテンツと対応した記事を閲覧することができるので、利用者の利便性を向上させることができる。また、トラックバックURLを指定して、記事記録提供手段にそのコンテンツに関する評価記事を書き込むと、記事記録提供手段は利用者が指定したトラックバックURLを指定してトラックバック情報管理手段にトラックバック要求を実施するので、トラックバック情報管理手段は、記事記録提供手段への書き込みが実施されるたびにコンテンツ対応にトラックバック要求を受け取り管理しているコンテンツ対応のトラックバックに関する状況を追加更新することが可能となるので、コンテンツ対応にトラックバックの最新の状況を一元管理でき、コンテンツ管理者はコンテンツの流通の状況を一元的に把握することが可能となり利便性を向上させることができる。さらに、トラックバック情報は常に最新にかつ一元管理されるので、利用者はそのコンテンツに関する最新の記事に容易にアクセスでき、利便性を向上させることができるとともに、対応する記事記録提供手段が一元管理され対応付けられたコンテンツとなるので、コンテンツの付加価値を向上させることができ、コンテンツの流通が促進され、広告の効果を向上させることができる。
【００２５】
本発明の請求項５のコンテンツ流通システムの発明によれば、コンテンツ再生用ドライバソフトを端末に自動的にインストールすることができるので、利用者の利便性を向上させることができる。
【００２６】
本発明の請求項６のコンテンツ再生方法の発明によれば、端末はコンテンツ提供手段から配信情報をダウンロードして、この配信情報の再生を起動し、配信情報は端末内にコンテンツ再生用ドライバの有無を検出し、コンテンツ再生用ドライバが存在しない場合にはコンテンツ再生用ドライバを前記端末にインストールし、コンテンツ再生用ドライバは、配信情報に含まれる鍵情報取得用宛先情報を参照して権利付与手段から復号化鍵を取得するとともに、広告情報取得用宛先情報を参照して広告提供手段から取得した広告情報をストリーミング再生し、広告情報のストリーミング再生が完了した場合には配信情報に含まれる暗号化されたコンテンツを復号化鍵で復号しながら再生し、ストリーミング再生が完了せずに終了した場合には暗号化されたコンテンツの再生を中止するように構成されるので、コンテンツを再生する前にコンテンツ提供手段とは異なる広告提供手段から広告をストリーミング再生することにより、常時最新の広告を再生させることができ、広告効果をより高めることができる。また、広告の再生はダウンロードではなくストリーミングにより行うので、広告情報自体の権利を保護することができる。さらに広告の再生が完了しない限りコンテンツの再生を開始しないようにしたので、コンテンツの再生回数と広告の再生回数を同一にでき、コンテンツの著作権と広告料との対応付けが可能になり、広告料金の一部を確実に著作権者に支払うことができる。
【発明を実施するための最良の形態】
【００２７】
図１は本発明のコンテンツ流通システムの構成を示す図である。１は利用者がコンテンツを再生するためのクライアント端末でパソコンの使用が可能であるがそれには限定されず、コンテンツの再生、記事記録提供手段への閲覧、書込みのアクセス機能を実現する携帯電話などの携帯端末、テレビと接続してネットワークへのアクセスを実現しているセットトップボックスでも可能である。なお、以下ではクライアント端末のことを単にクライアントと記載する。２は配信情報（コンテンツともいう）２０を保存し、クライアント１からの要求に応じてコンテンツを提供するコンテンツ提供手段であり、コンテンツサーバを用いるのが典型例であり、サーバタイプを中心に説明する。配信情報２０には、暗号化されたコンテンツと、それ以外にも多様な情報を含むが、これについては後述する。
【００２８】
３は広告情報を保存し、クライアント１からの要求に応じて広告情報を提供する広告提供手段であり、広告サーバを用いるのが典型例である。サーバタイプを中心に説明する。４は暗号化されたコンテンツを復号化するための復号化鍵等を含む権利情報４０を保存し、クライアント１からの要求に応じて権利情報４０を提供する権利付与手段であり、これもサーバタイプを中心に説明する。権利情報４０の詳細は後述する。５はコンテンツ対応のトラックバック情報を管理するトラックバック情報管理手段であり、トラックバックサーバを用いるのが典型例である。これもサーバタイプを中心に説明する。６はコンテンツ関する記事の書込みや閲覧機能を提供する記事記録提供手段であり、ブログサーバを用いるのが典型例であるがそれには限定されず同様の機能を提供するホームページやコンテンツ管理システムと呼ばれるシステムが利用可能であり、いずれも本発明に含まれる。ここでは典型例であるブログサーバタイプを中心に説明し以降ではブログと記載する。
【００２９】
７はネットワークであり、例えばインターネットが好適であるがそれには限定されない。ここではコンテンツ提供手段であるコンテンツサーバ２、広告提供手段である広告サーバ３、権利情報付与手段である権利サーバ４、トラックバック情報管理手段であるトラックバックサーバ５、記事記録提供手段であるブログサーバ６を全て異なるサーバ、つまり異なるハード装置で構成する例を示したが、もちろんそれには限定されない。１つのサーバの中に、コンテンツ提供手段２、広告提供手段３、権利化付与手段４、トラックバック情報管理手段５、記事記録提供手段６を含めて構成することもできる。要するに、これらの手段を機能的に備えていればよく、ハード構成やサーバの設置位置には限定されない。
【００３０】
クライアント１がコンテンツサーバ２からコンテンツを取得して再生する場合には、クライアント１はネットワーク７を介してコンテンツサーバ２にアクセスして配信情報２０を取得し、この配信情報を起動する。配信情報２０の中には広告サーバ３にアクセスするための広告情報取得用情報、例えば広告サーバ３のURLが含まれるので、クライアント１は広告サーバ３にアクセスして広告情報をストリーミング再生する。この再生条件は権利化サーバ４からダウンロードした権利情報４０に含まれているので、その再生条件に合致した広告再生が行われたか否かをチェックし、行われた場合には配信情報２０に含まれる鍵情報取得用宛先情報に基づいて権利サーバ４にアクセスして暗号を復号化するための復号化鍵を取得し、その復号化鍵で暗号化されたコンテンツを復号しながら再生する。
【００３１】
この鍵情報取得用宛先情報とは例えば権利サーバ４のＵＲＬが相当する。もし、広告の再生が再生条件を満足するように行われなかった場合、コンテンツの再生を中止・終了する。以上がコンテンツサーバ２からコンテンツをダウンロードする場合であるが、例えば友人等から入手したＤＶＤ等の記録媒体を再生する場合も基本動作は同一である。この場合は、記録媒体の中に広告情報取得用宛先情報や鍵情報取得用宛先情報、暗号化されたコンテンツが記録されていることが必要である。コンテンツの再生が完了したら、配信情報２０の中に含まれるトラックバック情報をクライアントに表示する。
【００３２】
図２はクライアント１の構成を示す図である。１１は配信情報を処理するための配信情報処理ドライバ（以下ドライバという）である。１２はドライバに設けた保護エリアである。暗号化したコンテンツを復号化しながら再生するが、この処理はコンテンツを保護エリア１２の中に含めた状態で行う。これは、再生中のコンテンツを第三者から不正に取得されないための処置である。つまり、再生中のコンテンツは暗号化されておらずノーガードの状態で再生されるので、再生中コンテンツを不正にキャプチャされるとコンテンツが不正に複製される危険があるが、それを防止するために復号化されたコンテンツがキャプチャ困難な保護エリア１２内で再生を行う。これに関する処理方法は本発明の骨子ではないが、例えば特開２００５−２１５７８７号公報や特開２００５−２２７９９０号公報に記載の技術を用いることができる。このドライバは、例えばコンテンツサーバ２からダウンロードすることができる。１３はコンテンツを再生するためのプレイヤーであり、パソコンで通常使用される各種のプレイヤーソフトやＷｅｂブラウザソフトが使用できる。
【００３３】
１４は入出力部、１５はクライアントの全体の動作を制御する制御部である。プレイヤー１３は汎用のソフトだが、ドライバ１１からの制御によって本発明特有の動作を行う。例えば、広告再生中は早送りや終了の機能を無効にして（典型的には早送りボタン終了ボタンを選択できなくする）、広告を必ず最後まで視聴するようにすることができる。また再生のために復号化したコンテンツファイルはクライアント１内に残さないようにしてコンテンツの不正コピーを防止したり、コンテンツファイルの別名保存を禁止することができる。さらに、コンテンツ再生前に権利サーバ４にアクセスして再生許可を求め、許可を得たときのみ再生が可能になるようにしてコンテンツの権利を守ることもできる。
【００３４】
図３は本発明のブログに書き込む利用者が使用するクライアント１での動作手順を示す図である。まず再生すべきコンテンツを含む配信情報２０を入手する（工程S１）。コンテンツサーバ２からオンラインで入手する方法と、CD、DVD等の記録媒体で入手する方法があるが、その方法は問わない。いずれの場合も本発明に含まれる。クライアント１では入手した配信情報２０を起動する（工程S２）。起動は通常は配信情報のアイコンをダブルクリックする場合が多いが、起動方法は問わない。配信情報２０が起動されたらその配信情報２０は当該クライアントの中にドライバが含まれているか否かを検出する（工程S３）。もし含まれていなければクライアント１は配信情報２０の中に含まれるドライバ保存先アドレスに自動的にアクセスしてドライバをダウンロードし、そのドライバをインストールする（工程S４）。ユーザの手を借りずにドライバを自動的にインストールすることにより、例えば記録媒体を知人から譲り受けた場合でも簡単に再生することができる。これが本発明の１つの特徴である。
【００３５】
クライアント１内のドライバ１１は、起動した暗号化コンテンツに含まれる鍵情報取得用宛先情報、つまり権利サーバ４を特定するＵＲＬ等を読み取り、そのＵＲＬに基づいて権利サーバ４にアクセスし、暗号を解読するための復号化鍵やコンテンツ再生条件、広告再生条件等を含む権利情報４０をダウンロードする（工程Ｓ５）。再生しようとするコンテンツが違法なもの、間違いや不適切な表現を含む等の理由により再生に適さないコンテンツの場合には、権利サーバ４は再生を不許可にすることができる。このように、権利情報４０に含まれるコンテンツ再生条件に基づいて、コンテンツの再生の許可／不許可をチェックし（工程Ｓ６）、不許可の場合には再生動作を終了し、許可の場合にはさらに再生動作を続行する。なお、不許可の場合のように、中途段階での処理中止によってコンテンツファイルに問題が生じた場合には、このコンテンツを無効化することができる。
【００３６】
コンテンツ再生条件のチェックは、権利情報４０に含まれるコンテンツ再生条件を用いるだけでなく、権利サーバ４にアクセスして再生許可を受けるような方法を用いることもできる。再生許可を得て再生動作を続行する場合には、再生しようとする暗号化コンテンツをドライバの保護エリア１２に移す（工程Ｓ７）。暗号化コンテンツを保護エリア内で動作させることにより、再生中のコンテンツを違法にキャプチャされることを防止することができ、コンテンツの権利を守ることができる。また、広告情報自体の権利を保護することもできる。
【００３７】
次にコンテンツを再生するためのプレイヤー１３を起動し（工程Ｓ８）、配信情報２０に含まれる広告情報取得用宛先情報である広告サーバ３のＵＲＬを読み取ってその広告サーバ３にアクセスして広告情報をストリーミング再生する（工程Ｓ９）。広告情報をダウンロードではなく、ストリーミング再生することにより、常時最新の広告を再生することができるので広告効果を向上させることができる。
【００３８】
所定の広告再生条件を満足するように広告のストリーミング再生が行われたかどうかをチェックし（工程Ｓ１０）、満足しない場合にはコンテンツの再生動作を中止・終了し、満足する場合にはコンテンツの再生を行う（工程Ｓ１１）。工程Ｓ１０における広告再生条件のチェックは、工程Ｓ５で権利サーバ４からダウンロードした広告再生条件に基づいて行われる。もちろん、再生の都度ダウンロードする必要はなく、予め取得・記憶しておいた広告再生条件を用いることもできるが、その都度ダウンロードする態様にすれば、広告再生条件を随時変更することができるので、さらに便利である。工程Ｓ１１におけるコンテンツの再生は、ドライバの保護エリア１２に格納した暗号化コンテンツを復号化しながらプレイヤー１３で再生することにより行うが、復号化したコンテンツはメモリ内に残さないようにすることがセキュリティ上望ましい。このようなセキュリティ対策は本発明の骨子ではなく、例えば特開２００５−２１５７８７号公報に記載されているような既存の技術を利用することができる。
【００３９】
次にドライバ１１は配信情報２０に含まれるトラックバック情報取得用宛先情報であるトラックバックサーバ５のURLを読み取って、そのトラックバックサーバ５にアクセスし（工程S１２）、コンテンツ識別子により識別されるコンテンツに対応したトラックバック情報を取得し（工程S１３）、クライアント１に表示する（工程S１４）。コンテンツを再生してそのコンテンツに関連するブログを閲覧するかどうか利用者は判断し（工程S１５）、閲覧する場合は、表示されているトラックバックリストをクリックすることによりブログを閲覧する（工程S１６）。さらにブログにそのコンテンツに関する記事を書き込むかどうか利用者は判断し（工程S１７）、書き込む場合は表示されているトラックバックURLを指定して、ブログサーバ６にアクセスし、評価記事を書き込む（工程S１８）。この流れではブログの閲覧を先に実施する例で記述したが、ブログを閲覧するのとブログに書き込む順はどちらが先でも良くいずれの場合も本発明に含まれる。
【００４０】
ブログサーバ６は利用者がトラックバックURLを指定して書き込みを行うと、そのトラックバックURLとトラックバック要求（トラックバックpingと通常よばれるもの）をトラックバックサーバ５に送信する。トラックバックサーバ５はトラックバック要求を受信すると管理しているトラックバック情報を追加更新する。
【００４１】
図４は、本発明で用いる配信情報２０の構成の例を示す図である。配信情報２０は、コンテンツ２１、広告情報取得用宛先情報、トラックバック情報取得用宛先情報、コンテンツ識別子を含む制御情報２２、ドライバを入手するための実行プログラム２３から構成される。実行プログラム２３の中にはドライバ入手先宛先情報を有しているのはもちろんである。
【００４２】
図５は、本発明で用いる権利情報４０の構成の例を示す図である。４１は暗号化されたコンテンツを復号するための復号化鍵、４２は広告再生条件、４３はコンテンツ再生条件、４４はコンテンツ再生制御情報である。復号化鍵４１はコンテンツの暗号化に使用された暗号鍵と関連して生成されたもので、共通鍵暗号化方式を用いる場合には暗号鍵と同一の鍵を使用し、公開鍵暗号化方式を用いる場合には暗号化鍵とペアで生成される鍵を用いる。広告再生条件４２は、コンテンツの再生前に広告をストリーミング再生する際の条件を示したもので、クライアント１はこの条件を参照して広告が正常に再生されたか否かを判断する。コンテンツ再生条件４３は、コンテンツの再生期間や再生回数等の条件や、配信したファイルに誤りがあったような場合に再生を中止させるような内容が含まれる。
【産業上の利用可能性】
【００４３】
本発明は、本発明は、コンテンツと広告とを関連させながら常に最新の広告を再生させるシステムとして用いることができる。
【図面の簡単な説明】
【００４４】
【図１】本発明のシステム構成を示す図である。
【図２】本発明のクライアントの構成を示す図である。
【図３】本発明のクライアントの動作手順を示す図である。
【図４】本発明の配信情報の構成例を示す図である。
【図５】本発明の権利情報の構成例を示す図である。
【符号の説明】
【００４５】
１  クライアント（端末）
２  コンテンツサーバ（コンテンツ提供手段）
３  広告サーバ（広告提供手段）
４  権利サーバ（権利付与手段）
５  トラックバックサーバ（トラックバック情報管理手段）
６  ブログサーバ（記事記録提供手段）
７  ネットワーク
１１  ドライバ
１２  ドライバの保護エリア
１３  コンテンツプレイヤー
１５  制御部
２０  配信情報（コンテンツ）
２１  暗号化コンテンツ
２２  制御情報
２３  ドライバ入手用実行プログラム
４０  権利情報
４１  複合化鍵
４２  広告再生条件
４３  コンテンツ再生条件
【図１】
2008187419.tif 000003
【図２】
2008187419.tif 000004
【図３】
2008187419.tif 000005
【図４】
2008187419.tif 000006
【図５】
2008187419.tif 000007